(57)【特許請求の範囲】
【請求項１】
電動送風機などを内蔵する本体と、前記本体の両側面に回転自在にロ−ラ−を配し、前記ロ−ラ−を軟質材料で押し出し成形し、その成形時に起毛布を同時に押し出すことによって前記ロ−ラ−の接地面に前記起毛布を固着し、前記ロ−ラ−の接地面と側面の接地面近傍を前記軟質材料と起毛布が覆うように成形した電気掃除機。
【請求項２】
電動送風機などを内蔵する本体と、前記本体の両側面に回転自在にロ−ラ−を配し、前記ロ−ラ−の接地面に起毛布を固着し、前記起毛布と樹脂をロ−ラ−の外形に合わせたヒ−トプレスで成形と同時に溶着し、前記起毛布を前記ロ−ラ−の接地面から側面の接地面近傍まで固着した電気掃除機。
【発明の詳細な説明】
【０００１】
【産業上の利用分野】
本発明は、家庭用および産業用の電気掃除機に関するもので、特に近年の電気掃除機本体の走行手段に関するものである。
【０００２】
【従来の技術】
従来のこの種の電気掃除機の構成について、図面を参照しながら説明する。
【０００３】
図１２において、３１は電動送風機などを内蔵する電気掃除機の本体であり、前記本体３１の前面にはホ−スを接続する吸気口３９を有し、底部の後方側にはキャスタ−３３が回転自在にして取り付けられている。また、本体３１の両側面には、ロ−ラ−３２が図１３に示すように本体３１の軸受３５にロ−ラ−３２の軸３６が回転できうるように挿入され、軸３６の先端に設けた爪３７によって本体３１から外れないようになっている。さらに図１４および図１５はロ−ラ−３２の外周に軟質塩化ビニルなどから成るタイヤ３８を有している例であり、床面との接触をソフトにしている。
【０００４】
ここで、使用者が掃除中にホ−スを介して本体３１を引っ張ると、ロ−ラ−３２は本体３１の前後方向に回転し、また、今まで進んできた方向から転換する場合には、ホ−スが左右に振られると本体３１の後部はキャスタ−３３によって使用者が引っ張った方向と反対に向くと同時に本体３１の前部は使用者が引っ張る方向に向き、使用者の進む方向へと追従するものである。さらに敷居などを乗り越す際にはロ−ラ−３２あるいはタイヤ３８が敷居に接触し、乗り上げ、乗り越すものである。
【０００５】
【発明が解決しようとする課題】
しかし、このような図１２に示す構造のものでは、ロ−ラ−３２全体が硬質の樹脂などで構成されるため、走行する際の床面との接触の音が大きく、特に敷居などの段差を乗り越える場合の衝撃音が大きい。同時に床面や敷居などの段差部分に傷を付けやすいものとなっていた。またロ−ラ−３２の側面部分が家具などに当たった場合にも傷つけやすいものとなっていた。
【０００６】
次に図１４に示す構造のものでは、軟質塩化ビニルなどによってタイヤ３８を構成するため重量が大きくなり、ホ−スを介して本体３１を引っ張る力が余分に必要となるとともに持ち運びにも重いものであった。またロ−ラ−３２の側面方向に使用者が無理に移動させようとした際には、床面上で滑りにくいために床面に傷を付けてしまう恐れがあった。さらにこの構成の場合一体成形によるものが一般的であるため、外径寸法を変更する際などにはロ−ラ−ユニットの金型を製作する必要があり、高価なものを使用者に提供する状態になっていた。
【０００７】
そこで本発明は、以上のような従来の課題を解決しようとするものであって、軽量で、かつ走行する際の床面との接触の音を抑え、特に敷居などの段差を乗り越える場合の衝撃音を抑えるとともに床面に傷を付け難くするものであり、さらにロ−ラ−の側面方向への移動も容易にすることを第１の目的とする。
【０００８】
また、ロ−ラ−側面による家具などへの傷付きを防止することを第２の目的としている。
【０００９】
また、ロ−ラ−側面による家具などへの傷付きを防止するとともに安価なロ−ラ−ユニットを提供することを第３の目的としている。
【００１０】
【課題を解決するための手段】
前記第１、第２の目的を達成するために、請求項１に記載の発明は、電動送風機などを内蔵する本体と、前記本体の両側面に回転自在にロ−ラ−を配し、前記ロ−ラ−を軟質材料で押し出し成形し、その成形時に起毛布を同時に押し出すことによって前記ロ−ラ−の接地面に前記起毛布を固着し、前記ロ−ラ−の接地面と側面の接地面近傍を前記軟質材料と起毛布が覆うように成形したものである。
【００１１】
前記第１、第３の目的を達成するために、請求項２に記載の発明は、電動送風機などを内蔵する本体と、前記本体の両側面に回転自在にロ−ラ−を配し、前記ロ−ラ−の接地面に起毛布を固着し、前記起毛布と樹脂をロ−ラ−の外形に合わせたヒ−トプレスで成形と同時に溶着し、前記起毛布を前記ロ−ラ−の接地面から側面の接地面近傍まで固着するものである。
【００１２】
【作用】
上記請求項１に記載の発明により、起毛布の毛の弾力によってロ−ラ−と床面との間で衝撃を吸収し、走行する際の床面との接触の音を抑え、特に敷居などの段差を乗り越える場合の衝撃音が抑えられるとともに床面に傷を付け難くするものであり、さらに起毛布の毛の滑りによってロ−ラ−の側面方向への移動も容易にすることができるものである。また、接地面から側面に設けた起毛布によって走行時のソフト性を得ることができるとともに、ロ−ラ−側面が家具などに接触したときに起毛布の介在によって、家具に接触した状態で走行した場合などロ−ラ−のこすりつけによる傷付きを防止することができるものである。
【００１３】
また、請求項２に記載の発明により、起毛布の毛の弾力によってロ−ラ−と床面との間で衝撃を吸収し、走行する際の床面との接触の音を抑え、特に敷居などの段差を乗り越える場合の衝撃音が抑えられるとともに床面に傷を付け難くするものであり、さらに起毛布の毛の滑りによってロ−ラ−の側面方向への移動も容易にすることができるものである。また、起毛布と樹脂の薄板をロ−ラ−の外形に合わせたヒ−トプレスで成形と同時に溶着し、これをロ−ラ−の接地面と側面の接地面近傍の形状に合わせて側面から容易に固着して設けることができるため組立て費用が削減でき使用者に安価なロ−ラ−ユニットを提供することができるものである。
【００１４】
【実施例】
以下、本発明の第１の実施例を添付図面にもとづいて説明する。
【００１５】
図２において、１は電動送風機などを内蔵する電気掃除機の本体であり、前記本体１の前面にはホ−スを接続する吸気口１２を有し、底部の後方側にはキャスタ−３が回転自在に取り付けられている。また、本体１の両側面には、ロ−ラ−２が図１に示すように本体１の軸受５にロ−ラ−２の軸６が回転できうるように挿入され、軸６の先端に設けた爪７によって本体１から外れないようになっている。さらに、ロ−ラ−２の接地面には起毛布４が接着されて設けられている。
【００１６】
ここで、使用者が掃除中にホ−スを介して本体１を引っ張ると、ロ−ラ−２は本体１の前後方向に回転し、また、今まで進んできた方向から転換する場合には、ホ−スが左右に振られると本体１の後部はキャスタ−３によって使用者が引っ張った方向と反対に向くと同時に、本体１の前部は使用者が引っ張る方向に向き、使用者の進む方向へと追従するものである。さらに敷居などを乗り越す際にはロ−ラ−２が敷居に接触し、乗り上げ、乗り越すものである。
【００１７】
上記構成による作用は以下の通りである。
【００１８】
軽量で、かつ走行する際の床面との接触の音を抑え、特に敷居などの段差を乗り越える場合の衝撃音を抑えるとともに、床面に傷を付け難くするものであり、さらに起毛布４の滑りによってロ−ラ−の側面方向への移動も容易にすることができるものである。
【００１９】
次に、本発明の第２の実施例を図３、図４を用いて説明する。
【００２０】
ロ−ラ−２の側面の接地面近傍に軟質ポリプロピレンなどの軟質材から成るタイヤ８を有しており、タイヤ８の接地面側の端面は起毛布４の接着面より約１ｍｍ突出させている。なお、他の構成については上記第１の実施例の構成と同じである。
【００２１】
この構成による作用は以下の通りである。
【００２２】
走行する際の床面との接触の音を抑え、床面に傷を付け難くし、さらに起毛布４の滑りによってロ−ラ−の側面方向への移動も容易にすることができるとともに、特に敷居などの段差を乗り越える場合の、敷居などのかどに接触する状態では起毛布４の毛の一部を集中して押されるために毛が倒れてタイヤ８の端面で柔軟に受けることによって衝撃音が抑えられるとともに、敷居などの段差部分に傷を付け難くするものである。
【００２３】
さらに、本発明の第３の実施例を図５を用いて説明する。
【００２４】
ロ−ラ−２の接地面側の外周に起毛布４を接着したタイヤ８を嵌合させて、爪１３で外れないように設けている。なお、他の構成については上記の第１の実施例の構成と同じである。
【００２５】
この構成による作用は以下の通りである。
【００２６】
ロ−ラ−接地面の外径や接地幅を変更する際には、ロ−ラ−部分は共用してタイヤ部分のみの成形金型を製作することによって対応でき、したがって安価な製品を消費者に提供することができるものである。
【００２７】
さらに、本発明の第４の実施例を図６、図７、図８を用いて説明する。
【００２８】
図６、図７は押し出し成形法によって軟質ポリプロピレンなどから成る軟質体１０と起毛布９の基布１１の部分を押し出し成形時に同時に押し出し接着したものである。これを図８に示すように、ロ−ラ−２のコの字状の部分に嵌合および接着によって設けるものである。なお、他の構成については上記の第１の実施例の構成と同じである。
【００２９】
この構成による作用は以下の通りである。
【００３０】
図８に示す通りロ−ラ−の側面部分にも起毛布を設けることが容易となり、ロ−ラ−側面による家具などへの傷付きを防止することができるものである。
【００３１】
さらに、本発明の第５の実施例を図９、図１０を用いて説明する。
【００３２】
図９は起毛布９と１ｍｍ程度のＡＢＳなどの樹脂の薄板１４をロ−ラ−の外形に合わせたヒ−トプレスで成形するのと同時に基布１１と樹脂の薄板１４を溶着し、これを図１０に示すようにタイヤ１５部分のみに打ち抜き、そしてロ−ラ−２に側面から接着して設けるものである。なお、他の構成については上記の第１の実施例の構成と同じである。
【００３３】
この構成による作用は以下の通りである。
【００３４】
ロ−ラ−の側面部分にも起毛布を設けることが容易であり、ロ−ラ−側面による家具などへの傷付きを防止することができるとともに、側面から容易に接着して設けることができるため組立て費用が削減でき使用者に安価なロ−ラ−ユニットを提供することができるものである。
【００３５】
さらに、本発明の第６の実施例を図１１を用いて説明する。
【００３６】
ロ−ラ−２は側面の回転軸近傍と接地面部分間を穴１７とスポ−ク１６で構成し、ロ−ラ−２の外形に合わせてヒ−トプレス成形したタイヤ１５をロ−ラ−２の接地面から全側面に接着して設けるものである。なお、他の構成については上記の第１の実施例の構成と同じである。
【００３７】
この構成による作用は以下の通りである。
【００３８】
ロ−ラ−２の重量削減ができ、使用時の本体引張に要する労力を軽減することができるとともに、ロ−ラ−２の外形に合わせてヒ−トプレス成形した起毛布をロ−ラ−２の接地面から全側面に設けることでロ−ラ−ユニットの強度を確保し、家具に接触した状態で走行した場合などロ−ラ−のこすりつけによる傷付きを防止することができるものである。
【００３９】
【発明の効果】
以上の実施例から明らかなように、本発明の第１の手段によれば、ロ−ラ−の接地面に起毛布を設けることによって、軽量で、かつ走行する際の床面との接触の音を抑え、特に敷居などの段差を乗り越える場合の衝撃音が抑えられるとともに床面に傷を付け難くするものであり、さらに起毛布の滑りによってロ−ラ−の側面方向への移動も容易にすることができるものである。また、押し出し成形法によって軟質材料などから成る軟質体と起毛布の基布の部分を押し出し成形時に同時に押し出し固着したものを、ロ−ラ−のコの字状の部分に嵌合および接着によって設けることによって、ロ−ラ−の側面部分にも起毛布を設けることが容易となり、ロ−ラ−側面による家具などへの傷付きを防止することができるものである。
【００４０】
また、本発明の第２の手段によれば、ロ−ラ−の接地面に起毛布を設けることによって、軽量で、かつ走行する際の床面との接触の音を抑え、特に敷居などの段差を乗り越える場合の衝撃音が抑えられるとともに床面に傷を付け難くするものであり、さらに起毛布の滑りによってロ−ラ−の側面方向への移動も容易にすることができるものである。また、起毛布と樹脂の薄板をロ−ラ−の外形に合わせたヒ−トプレスで成形するのと同時に溶着し、これをタイヤ部分のみに打ち抜き、そしてロ−ラ−に側面から接着して設けることによって、ロ−ラ−の側面部分にも起毛布を設けることが容易であり、ロ−ラ−側面による家具などへの傷付きを防止することができるとともに、側面から容易に接着して設けることができるため組立て費用が削減でき使用者に安価なロ−ラ−ユニットを提供することができるものである。
【図面の簡単な説明】
【図１】  本発明の第１実施例の電気掃除機のローラー部の断面を示し、図２のＡ−Ａ断面図
【図２】  同電気掃除機の側面図
【図３】  本発明の第２実施例から第４の実施例の電気掃除機の側面図
【図４】  図３のＢ−Ｂ断面図
【図５】  本発明の第３実施例の電気掃除機のローラー部の断面を示し、図３のＢ−Ｂ断面図
【図６】  本発明の第４実施例の部品の構成を示す外観斜視図
【図７】  同電気掃除機の部品の構成を示す拡大断面図
【図８】  同電気掃除機のローラー部の断面を示し、図３のＢ−Ｂ断面図
【図９】  本発明の第５実施例の電気掃除機の部品の構成を示す外観斜視図
【図１０】  同電気掃除機の部品の構成を示す分解斜視図
【図１１】  本発明の第６実施例の電気掃除機のローラー部を示す分解斜視図
【図１２】  従来の電気掃除機の側面図
【図１３】  図１２のＤ−Ｄ断面図
【図１４】  他の従来例を示す電気掃除機の側面図
【図１５】  図１４のＥ−Ｅ断面図
【符号の説明】
１  本体
２  ロ−ラ−
３  キャスタ−
４  起毛布
８  タイヤ
９  起毛布
１０  軟質体
１１  基布
１５  タイヤ
１６  スポ−ク
【図１】
0003744007.tif 000002
【図２】
0003744007.tif 000003
【図３】
0003744007.tif 000004
【図４】
0003744007.tif 000005
【図５】
0003744007.tif 000006
【図６】
0003744007.tif 000007
【図７】
0003744007.tif 000008
【図８】
0003744007.tif 000009
【図９】
0003744007.tif 000010
【図１０】
0003744007.tif 000011
【図１１】
0003744007.tif 000012
【図１２】
0003744007.tif 000013
【図１３】
0003744007.tif 000014
【図１４】
0003744007.tif 000015
【図１５】
0003744007.tif 000016